(57)【要約】【課題】この発明は、転居前の宛先情報が記載された転送メールを効率良く処理できる郵便物処理装置、郵便物処理システム、および郵便物処理方法を提供することを課題とする。【解決手段】転送メール処理機２０は、郵便区分機で転送メールであることが判明した郵便物Ｐ’を処理する。転送メール処理機２０は、搬送路２２上に転送メールＰ’を供給する取り出し部２３、転送メールＰ’からＩＤコードを読み取るＩＤコード読み取り部２４、転送メールＰ’にラベルを貼り付けるラベラー２５、転送メールＰ’に転居先の情報を印字する転居情報印字部２６、および転居情報に対応した局内バーコードを印字する局内バーコード印字部２７を有する。【選択図】      図２
2007038040.tif 000002
【特許請求の範囲】
【請求項１】
転居前の宛先情報が記載され且つＩＤコードが付与された転送メールを供給する供給部と、
上記ＩＤコードに関連付けて当該転送メールの転居先の住所に関する転居情報を記憶した記憶部と、
上記供給部で供給された転送メールからＩＤコードを読み取るＩＤコード読み取り部と、
読み取ったＩＤコードに基づいて上記記憶部を検索し、当該転送メールの転居情報を取得する制御部と、
この制御部で取得した転居情報を当該転送メールに印字する転居情報印字部と、
を有することを特徴とする郵便物処理装置。
【請求項２】
上記制御部で取得した転居情報をコード化したコード情報を当該転送メールに印字するコード情報印字部をさらに有することを特徴とする請求項１に記載の郵便物処理装置。
【請求項３】
上記供給部で供給される転送メールに不要な情報が記載されている場合、この不要な情報を覆い隠すように当該転送メールにラベルを貼り付けるラベル貼り付け部をさらに有することを特徴とする請求項１に記載の郵便物処理装置。
【請求項４】
上記不要な情報の有無に関する情報は、上記転居情報に関連付けて上記記憶部に記憶されていることを特徴とする請求項３に記載の郵便物処理装置。
【請求項５】
上記転居情報印字部は、上記ラベル貼り付け部で当該転送メールに貼り付けられたラベル上に上記転居情報を印字することを特徴とする請求項３に記載の郵便物処理装置。
【請求項６】
上記制御部で取得した転居情報をコード化したコード情報を上記ラベル貼り付け部で当該転送メールに貼り付けたラベル上に印字するコード情報印字部をさらに有することを特徴とする請求項３に記載の郵便物処理装置。
【請求項７】
郵便物の宛先情報を読み取って、読み取った宛先情報に基づいて当該郵便物を区分集積するとともに、読み取った宛先情報が転居前の宛先情報であることを判断した場合に、当該転送メールにＩＤコードを付与するとともに転居先の転居情報をデータベースから取得して当該ＩＤコードに関連付けて記憶し、当該転送メールを指定場所へ区分集積する郵便区分機と、
上記指定場所に区分集積された転送メールを投入して処理する転送メール処理機と、を有し、
上記転送メール処理機は、
投入された転送メールを供給する供給部と、
上記郵便区分機で関連付けて記憶したＩＤコードと転居情報をダウンロードして記憶する記憶部と、
上記供給部で供給された転送メールからＩＤコードを読み取るＩＤコード読み取り部と、
読み取ったＩＤコードに基づいて上記記憶部を検索し、当該転送メールの転居情報を取得する制御部と、
この制御部で取得した転居情報を当該転送メールに印字する転居情報印字部と、
を有することを特徴とする郵便物処理システム。
【請求項８】
上記制御部で取得した転居情報をコード化したコード情報を当該転送メールに印字するコード情報印字部をさらに有することを特徴とする請求項７に記載の郵便物処理システム。
【請求項９】
上記供給部で供給される転送メールに不要な情報が記載されている場合、この不要な情報を覆い隠すように当該転送メールにラベルを貼り付けるラベル貼り付け部をさらに有することを特徴とする請求項７に記載の郵便物処理システム。
【請求項１０】
上記郵便区分機は、郵便物に既に局内バーコードが付与されているか否かを確認するためのバーコードリーダを有し、転送メールの転居先の転居情報とともに当該転送メールに局内バーコードが付与されているか否かに関する情報を当該転送メールに付与するＩＤコードに関連付けて記憶し、
上記転送メール処理機の記憶部は、これらＩＤコードに関連付けて記憶した情報を上記郵便区分機からダウンロードして記憶し、
上記ラベル貼り付け部は、当該転送メールのＩＤコードに関連付けて上記記憶部に記憶されている局内バーコードの有無に関する情報に基づいて、当該転送メールに既に局内バーコードが付与されている場合にこの局内バーコードを覆い隠すようにラベルを貼り付けることを特徴とする請求項９に記載の郵便物処理システム。
【請求項１１】
上記ラベル貼り付け部は、局内バーコードとともにＩＤコードを覆い隠す位置にラベルを貼り付けることを特徴とする請求項１０に記載の郵便物処理システム。
【請求項１２】
上記転居情報印字部は、上記ラベル貼り付け部で当該転送メールに貼り付けられたラベル上に上記転居情報を印字することを特徴とする請求項９に記載の郵便物処理システム。
【請求項１３】
上記制御部で取得した転居情報をコード化したコード情報を上記ラベル貼り付け部で当該転送メールに貼り付けたラベル上に印字するコード情報印字部をさらに有することを特徴とする請求項９に記載の郵便物処理システム。
【請求項１４】
転居前の宛先情報が記載され且つＩＤコードが付与された転送メールを供給する供給工程と、
この供給工程で供給された転送メールからＩＤコードを読み取るＩＤコード読み取り工程と、
上記ＩＤコードに関連付けて当該転送メールの転居先の住所に関する転居情報を記憶した記憶部から、上記ＩＤコード読み取り工程で読み取ったＩＤコードをキーとして、当該転送メールの転居情報を取得する転居情報取得工程と、
この転居情報取得工程で取得した転居情報を当該転送メールに印字する転居情報印字工程と、
を有することを特徴とする郵便物処理方法。
【請求項１５】
上記供給工程で供給される転送メールに不要な情報が記載されている場合、この不要な情報を覆い隠すように当該転送メールにラベルを貼り付けるラベル貼り付け工程をさらに有することを特徴とする請求項１４に記載の郵便物処理方法。
【請求項１６】
上記転居情報印字工程では、上記ラベル貼り付け工程で当該転送メールに貼り付けられたラベル上に上記転居情報を印字することを特徴とする請求項１５に記載の郵便物処理方法。
【発明の詳細な説明】
【技術分野】
【０００１】
この発明は、郵便物から宛先情報を読み取って区分する郵便物処理装置、郵便物処理システム、および郵便物処理方法に関する。
【背景技術】
【０００２】
従来、郵便物処理装置として、郵便物から読み取った住所情報を予め用意した住所情報テーブルに照会し、当該住所情報に転居情報が含まれている場合、当該郵便物を転居後の住所に対応する区分箱に区分するようにした装置が知られている（例えば、特許文献１参照。）。この装置によると、転居情報のある郵便物が転居前の住所に配達されることを防止でき、再配達の手間をなくすことができる。
【０００３】
しかし、この装置では、転居情報のある郵便物を転居後の住所に対応した区分箱に区分しているだけであり、当該郵便物を配達する配達局では、当該郵便物に記載されている転居前の住所に基づいて転居先の住所を調べる必要があり、且つ郵送先の住所を手作業により書き換える必要があり、転送メールの処理に多くの時間と手間を要する問題がある。
【特許文献１】特開２００２−３４６４８２号公報（段落［００２６］）
【発明の開示】
【発明が解決しようとする課題】
【０００４】
この発明の目的は、転居前の宛先情報が記載された転送メールを効率良く処理できる郵便物処理装置、郵便物処理システム、および郵便物処理方法を提供することにある。
【課題を解決するための手段】
【０００５】
上記目的を達成するため、本発明の郵便物処理装置は、転居前の宛先情報が記載され且つＩＤコードが付与された転送メールを供給する供給部と、上記ＩＤコードに関連付けて当該転送メールの転居先の住所に関する転居情報を記憶した記憶部と、上記供給部で供給された転送メールからＩＤコードを読み取るＩＤコード読み取り部と、読み取ったＩＤコードに基づいて上記記憶部を検索し、当該転送メールの転居情報を取得する制御部と、この制御部で取得した転居情報を当該転送メールに印字する転居情報印字部と、を有する。
【０００６】
また、本発明の郵便物処理システムは、郵便物の宛先情報を読み取って、読み取った宛先情報に基づいて当該郵便物を区分集積するとともに、読み取った宛先情報が転居前の宛先情報であることを判断した場合に、当該転送メールにＩＤコードを付与するとともに転居先の転居情報をデータベースから取得して当該ＩＤコードに関連付けて記憶し、当該転送メールを指定場所へ区分集積する郵便区分機と、上記指定場所に区分集積された転送メールを投入して処理する転送メール処理機と、を有し、上記転送メール処理機は、投入された転送メールを供給する供給部と、上記郵便区分機で関連付けて記憶したＩＤコードと転居情報をダウンロードして記憶する記憶部と、上記供給部で供給された転送メールからＩＤコードを読み取るＩＤコード読み取り部と、読み取ったＩＤコードに基づいて上記記憶部を検索し、当該転送メールの転居情報を取得する制御部と、この制御部で取得した転居情報を当該転送メールに印字する転居情報印字部と、を有する。
【０００７】
さらに、本発明の郵便物処理方法は、転居前の宛先情報が記載され且つＩＤコードが付与された転送メールを供給する供給工程と、この供給工程で供給された転送メールからＩＤコードを読み取るＩＤコード読み取り工程と、上記ＩＤコードに関連付けて当該転送メールの転居先の住所に関する転居情報を記憶した記憶部から、上記ＩＤコード読み取り工程で読み取ったＩＤコードをキーとして、当該転送メールの転居情報を取得する転居情報取得工程と、この転居情報取得工程で取得した転居情報を当該転送メールに印字する転居情報印字工程と、を有する。
【０００８】
上記発明によると、郵便区分機で転送メールであることが判明した郵便物を転送メール処理機へ投入し、郵便区分機で各転送メールに付与したＩＤコードに関連して記憶した転居情報を転送メール処理機へダウンロードし、転送メール処理機で供給した転送メールからＩＤコードを読み取って、このＩＤコードに基づいて検索した転居情報を該当する転送メールに印字するようにした。これにより、転送メールを転居前の住所に配達することが無くなり、再配達の手間も無くなり、転居前の宛先情報が記載された転送メールを効率良く処理できる。
【発明の効果】
【０００９】
この発明によると、転居前の宛先情報が記載された転送メールを効率良く処理できる。
【発明を実施するための最良の形態】
【００１０】
以下、図面を参照しながらこの発明の実施の形態について詳細に説明する。  
図１には、この発明の実施の形態に係る郵便物処理システムに組み込まれた郵便区分機１０の概略構成をブロック図にして示してある。また、図２には、このシステムに組み込まれた本発明の郵便物処理装置として機能する転送メール処理機２０の概略構成をブロック図にして示してある。図１および図２に示すように、郵便区分機１０と転送メール処理機２０は、２台の区分機ＰＣ１１、２１を介して接続されている。
【００１１】
転送メール処理機２０では、郵便区分機１０で処理した結果、転送メールであることが判明した郵便物を処理する。転送メールとは、郵便物の受取人が当該郵便物に記載されている宛先から既に転居している郵便物のことを指す。このような転送メールは、当該郵便物の差出人が、受取人が転居したことを知らないような場合に発生する。
【００１２】
図１に示すように、郵便区分機１０は、複数通の郵便物Ｐを搬送路１上に１通ずつ取り出す取り出し部２、搬送路１上に取り出された郵便物Ｐのうち異物を混入している郵便物や定型外の郵便物を排除する図示しない排除部、搬送路１上に取り出された郵便物Ｐに既に局内バーコードが付与されているか否かを確認するプレバーコードリーダ３（バーコードリーダ）、郵便物Ｐに付与されている郵便番号、宛先住所、宛名などの宛先情報を含む画像を読み取るスキャナ部４、スキャナ部４で読み取った画像から宛先情報を認識する認識部５、認識した宛先情報が転居前の古い宛先情報である場合に当該郵便物ＰにＩＤコードを印字するＩＤコード印字部６、認識した宛先情報に対応する局内バーコードを印字する局内バーコード印字部７、印字した局内バーコードを確認のため読み取るベリファイリーダ８、上記認識部５における認識結果に従って当該郵便物Ｐを区分集積する区分集積部９、および上記各部の動作を制御する制御部１００を有する。
【００１３】
認識部５に接続された区分機ＰＣ１１には、転送メール処理機２０の区分機ＰＣ２１が接続されているとともに、郵便局側システムにあるテータベース３０が接続されている。データベース３０には、全ての宛先情報が対応する局内バーコードとともに記憶されているとともに、郵便局に転居届けが出されている場合における転居先の新しい郵便番号や住所などの転居情報が転居前の古い宛先情報に関連付けて記憶されている。データベース３０で記憶している各種情報は、転居届けが提出される度に更新され、必要に応じて郵便区分機１０の区分機ＰＣ１１にダウンロードされ、さらに必要に応じて区分機ＰＣ１１から転送メール処理機２０の区分機ＰＣ２１にダウンロードされる。
【００１４】
図２に示すように、転送メール処理機２０は、郵便区分機１０で処理済の郵便物、すなわち転送メールＰ’を搬送路２２上に１通ずつ取り出す取り出し部２３（供給部）、搬送路２２上に取り出した転送メールＰ’のうち取り出し姿勢の悪い転送メールＰ’を排除する図示しない排除部、郵便区分機１０で転送メールＰ’に印字されたＩＤコードを読み取るＩＤコード読み取り部２４、転送メールＰ’に既に付与されている局内バーコードの上にラベルＬ（図５参照）を貼り付けるラベラー２５（ラベル貼り付け部）、転送メールＰ’のラベルＬ上に転居先の新しい郵便番号や住所などの転居情報を印字する転居情報印字部２６、新しい住所に対応する局内バーコードをラベルＬ上に印字する局内バーコード印字部２７（コード情報印字部）、印字した局内バーコードを確認のため読み取るベリファイリーダ２８、処理済の転送メールＰ’を区分集積する区分集積部２９、および上記各部の動作を制御する制御部２００を有する。
【００１５】
ラベラー２５は、搬送路２２を介して搬送される転送メールＰ’に転接して回転する円筒形の図示しない貼り付けヘッドを有し、ラベルＬを多数並べて有する細長いテープ部材をこのヘッドに巻回せしめている。ラベルＬの貼り付け位置は、転送メールＰ’に局内バーコードが付与されている場合、この局内バーコードを覆い隠す位置に設定されている。つまり、転送メールＰ’に既に付与されている局内バーコードは、転居前の宛先情報に対応したものであることから、転送メールＰ’の処理には不要な情報であり、むしろ、誤認識を防ぐためにも認識できないようにすることが望ましい。なお、ラベルＬの貼り付け位置は、ラベラー２５の図示しないヘッドを移動させることにより変更できる。例えば、ラベルＬを転居前の宛先情報が記載された位置に貼り付けても良い。
【００１６】
ここで、上記構造の郵便物処理システムによる郵便物Ｐの処理動作について、図３に示すフローチャートとともに図４および図５を参照して説明する。図３のフローチャートでは、郵便区分機１０による処理と転送メール処理機２０による処理を左右に分けて記載した。
【００１７】
動作に先立って、郵便区分機１０の図示しない操作パネルを介してオペレータによって区分モードが指定され（ステップ１）、オペレータの手作業によって処理対象となる複数通の郵便物Ｐが郵便区分機１０に投入される。このとき、郵便区分機１０の区分機ＰＣ１１には、予め、所定のタイミングで、データベース３０から宛先情報や関連する転居情報などの処理に必要な情報をダウンロードしてあるものとする。
【００１８】
まず、郵便区分機１０の制御部１００が取り出し部２を制御し、搬送路１上に郵便物Ｐを１通ずつ取り出して郵便物Ｐの供給を開始する（ステップ２）。取り出された郵便物Ｐは、搬送路１上を一定の間隔で搬送され、異物を混入している郵便物や定型外の郵便物が図示しない排除部で排除される。そして、制御部１００は、プレバーコードリーダ３を介して搬送路１上に取り出された郵便物Ｐに局内バーコードが付与されているか否かを確認し、スキャナ部４を介して郵便物Ｐの宛先情報を含む画像を読み取る。スキャナ部４で読み取った画像は認識部５へ送られる。認識部５は、スキャナ部４から送られた画像を区分機ＰＣ１１に予めダウンロードしてある情報に照会し、当該郵便物Ｐの宛先情報を認識する（ステップ３）。
【００１９】
ステップ３の認識の結果、当該郵便物Ｐの宛先が既に転居した古い宛先であることが認識された場合（ステップ４；ＹＥＳ）、すなわち認識した宛先情報に関連した転居情報が予めダウンロードした情報に含まれる場合、認識部５は、当該郵便物が転送メールＰ’であることを判断し、古い宛先に関連した転居情報にＩＤコードを付与して区分機ＰＣ１１に保存する（ステップ５）とともに、この転居情報と関連付けされたＩＤコードを制御部１００へ送信する。このとき、当該転送メールＰ’の転居情報に関連付けて当該転送メールＰ’に局内バーコードが付与されていたか否かに関する情報が記憶される。この場合、例えば、局内バーコードの有無に関するフラグが立てられる。そして、制御部１００は、ＩＤコード印字部６を制御して、搬送路１を搬送される当該転送メールＰ’上に認識部５から通知されたＩＤコードを印字し（ステップ６）、当該転送メールＰ’を区分集積部９の指定場所へ区分集積する（ステップ７）。
【００２０】
一方、ステップ３の認識の結果、当該郵便物Ｐの宛先情報に転居情報が関連付けされていないことが判断されると（ステップ４；ＮＯ）、認識部５は、当該郵便物Ｐが転送メールＰ’ではない通常の郵便物Ｐであることを判断し、当該郵便物Ｐの宛先情報に対応した局内バーコードを制御部１００へ通知する。制御部１００は、認識部５から通知された局内バーコードを局内バーコード印字部７を介して当該郵便物Ｐに印字し（ステップ８）、ベリファイリーダ８を介して印字した局内バーコードを確認し、当該郵便物Ｐを区分集積部９の指定場所へ区分集積する（ステップ７）。
【００２１】
そして、制御部１００は、取り出し部２で取り出す郵便物Ｐが無くなるまで（ステップ９；ＹＥＳ）ステップ２からステップ８の処理を繰り返し、郵便物Ｐ（または、転送メールＰ’）を予め指定した区分場所へそれぞれ区分集積する。区分処理が終了すると（ステップ９；ＹＥＳ）、指定場所へ区分集積された転送メールＰ’がオペレータの手作業によって転送メール処理機２０へ投入され（ステップ１０；ＹＥＳ、ステップ１２）、指定場所へ区分集積された転送メールＰ’以外の全ての郵便物Ｐがオペレータの手作業によって指定の保管場所へ保管される（ステップ１０；ＮＯ、ステップ１１）。
【００２２】
ステップ１２で転送メールＰ’が転送メール処理機２０へ投入されて図示しない操作パネルを介して転送メール区分モードが指定されると（ステップ１３）、転送メール処理機２０の制御部２００は、区分機ＰＣ２１を制御して、ステップ５で郵便区分機１０の区分機ＰＣ１１に保存した転居情報をダウンロードする（ステップ１４）。このとき、制御部２００は、転居情報に関連して局内バーコードの有無に関する情報も入手して区分機ＰＣ２１（記憶部）に保存する。
【００２３】
この後、制御部２００は、取り出し部２３を制御して、搬送路２２上に転送メールＰ’を１通ずつ取り出して転送メールＰ’の供給を開始し（ステップ１５）、取り出し姿勢の悪い転送メールＰ’を図示しない排除部で排除する。そして、制御部２００は、ＩＤコード読み取り部２４を介して、ステップ６で各転送メールＰ’に印字したＩＤコードを読み取り（ステップ１６）、読み取ったＩＤコードをキーにして、区分機ＰＣ２１にダウンロードした当該転送メールの転居情報を検索して読み取る（ステップ１７）。
【００２４】
さらに、制御部２００では、区分機ＰＣ２１から入手した転居情報にある新しい郵便番号や住所などの文字列を最適化し（ステップ１８）、必要に応じてラベラー２５を制御して当該転送メールＰ’にラベルＬを貼り付ける（ステップ１９；ＹＥＳ、ステップ２０）。このとき、制御部２００では、ステップ１７で区分機ＰＣ２１から読み取った転居情報に関連して入手した局内バーコードの有無に関する情報に基づいて、ラベルＬの貼り付けの有無を判断する（ステップ１９）。
【００２５】
例えば、図４に示すように、当該転送メールＰ’に既に局内バーコードが付与されている場合（ステップ１９；ＹＥＳ）、図５に示すように、この局内バーコードを覆い隠すようにラベルＬを貼り付ける。本実施の形態では、郵便区分機１０で印字したＩＤコードも覆い隠すようにラベルＬを貼り付けた。一方、転送メールＰ’に局内バーコードが付与されていない場合（ステップ１９；ＮＯ）には、当該転送メールＰ’にラベルＬを貼り付ける必要はない。しかし、転送メールＰ’がビニール封筒による封書である場合や比較的色の濃いメールである場合などには、当該転送メールＰ’にラベルＬを貼り付けても良い。
【００２６】
そして、制御部２００は、ステップ１８で最適化した転居情報を転居情報印字部２６を介して当該転送メールＰ’に印字する（ステップ２１）。このとき、ステップ２０で当該転送メールＰ’にラベルＬが貼り付けられている場合には、図５に示すように、転居情報がラベルＬの上に印字され、ラベルＬが貼り付けられていない場合には、転送メールＰ’の表面に直接印字される。なお、転居情報印字部２６は、２ヘッドのインクジェットプリンタを有し、最適化した転居情報の文字列を２行にして印字する。
【００２７】
また、制御部２００は、この後、局内バーコード印字部２７を制御して、ステップ１７で取得した転居情報に対応した局内バーコードを転送メールＰ’に印字する（ステップ２２）。このとき、ステップ２０で当該転送メールＰ’にラベルＬが貼り付けられている場合には、図５に示すように、局内バーコードがラベルＬの上に印字され、ラベルＬが貼り付けられていない場合には、転送メールＰ’の上に直接印字される。
【００２８】
さらに、制御部２００は、ベリファイリーダ２８を制御して、ステップ２２で印字した局内バーコードを読み取り、局内バーコードが正常に印字されたか否かを確認する（ステップ２３）。この局内バーコードのベリファイリードは、この後、転送メール処理機２０で処理した転送メールＰ’を郵便区分機１０へ再投入する場合には必要ない。この後、制御部２００は、区分集積部２９を制御して、局内バーコードをベリファイリードした転送メールＰ’を指定場所へ区分集積する（ステップ２４）。
【００２９】
そして、制御部２００は、ステップ１２で転送メール処理機２０に投入された全ての転送メールＰ’が無くなるまで（ステップ２５；ＹＥＳ）ステップ１５からステップ２４の処理を繰り返し、全ての転送メールＰ’を処理した後、オペレータの手作業によって指定場所へ区分集積した転送メールＰ’が郵便区分機１０に再投入される。この後、郵便区分機１０では、ステップ２２で各転送メールＰ’に印字された局内バーコードを読み取って、転居情報に基づく区分をする。
【００３０】
以上のように、本実施の形態によると、郵便区分機１０で転送メールＰ’であることが判明した郵便物を転送メール処理機２０に投入し、転送メール処理機２０で全ての転送メールＰ’に転居先の郵便番号や住所などの転居情報を印字し、且つこの転居情報に対応した局内バーコードを印字し、このように処理した転送メールＰ’を郵便区分機１０に再投入するようにした。このため、転送メールＰ’に転居先の情報を印字し且つ対応する局内バーコードを印字した状態で通常の郵便物と同様に取り扱うことができ、転送メールＰ’を転居前の住所に配達してから再配達するような無駄な手間を無くすことができ、転送メールＰ’を効率良く処理できる。
【００３１】
また、本実施の形態では、転送メールＰ’に既に局内バーコードが印字されている場合、この局内バーコードを覆い隠す位置にラベルＬを貼り付け、このラベルＬの上に新たな転居情報や局内バーコードを印字するようにした。このため、転送メールＰ’に付与されている転居前の宛先情報に対応する局内バーコードを誤認識することがなくなり、処理の信頼性を高めることができる。また、ビニール封筒や比較的色の濃いメールにラベルＬを貼り付けるようにしても良く、これにより宛先情報の認識率を高めることができる。
【００３２】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００３３】
例えば、上述した実施の形態では、郵便区分機１０で転送メールＰ’に付与したＩＤコードもラベルＬで覆い隠す場合について説明したが、これに限らず、少なくとも局内バーコードだけを覆い隠すようにすれば良い。
【図面の簡単な説明】
【００３４】
【図１】この発明の実施の形態に係る郵便物処理システムに組み込まれた郵便区分機の概略構造を示すブロック図。
【図２】この発明の実施の形態に係る郵便物処理システムに組み込まれた転送メール処理機の概略構造を示すブロック図。
【図３】図１および図２の郵便物処理システムによる動作を説明するためのフローチャート。
【図４】郵便物に印字するＩＤコードおよび局内バーコードの位置を示す図。
【図５】図４のＩＤコードおよび局内バーコードを覆い隠す位置にラベルＬを貼り付けた状態を示す図。
【符号の説明】
【００３５】
１、２２…搬送路、２、２３…取り出し部、３…プレバーコードリーダ、４…スキャナ部、５…認識部、６…ＩＤコード印字部、７、２７…局内バーコード印字部、８、２８…ベリファイリーダ、９、２９…区分集積部、１０…郵便区分機、１１、２１…区分機ＰＣ、２０…転送メール処理機、２４…ＩＤコード読み取り部、２５…ラベラー、２６…転居情報印字部、３０…データベース、１００、２００…制御部、Ｌ…ラベル、Ｐ…郵便物、Ｐ’…転送メール。
【図１】
2007038040.tif 000003
【図２】
2007038040.tif 000004
【図３】
2007038040.tif 000005
【図４】
2007038040.tif 000006
【図５】
2007038040.tif 000007